(57)【要約】【課題】使用者の体格に応じて高さを調整でき、球体が安定して支持されて、離脱する心配がないボールチェア組立構造を提供すること。【解決手段】支持体１０と、球体２０を含み、支持体１０が座部１１と脚座体１２を備え、座部１１と脚座体１２間が昇降調整可能な支柱１３を介して相互に連結され、座部１１の上面が内側に凹陥した形状であって収容槽１１１が形成され、球体２０が収容槽１１１に収容されて設置される。座部１１の上端に少なくとも１つの環状のフレーム１４が設置され、球体２０がフレーム１４により包囲接触されて位置規制されるとよい。【選択図】図２
2018201798.tif 000002
【特許請求の範囲】
【請求項１】
ボールチェア組立構造であって、支持体と、球体を含み、
前記支持体が座部と脚座体を備え、前記座部と前記脚座体間が昇降調整可能な支柱を介して相互に連結され、前記座部の上面が内側に凹陥した形状であって収容槽が形成され、
前記球体が前記座部の収容槽に収容されて設置されることを特徴とする、ボールチェア組立構造。
【請求項２】
前記座部の上端に少なくとも１つの環状のフレームが設置され、かつ前記球体が前記フレームにより包囲接触されて位置規制されることを特徴とする、請求項１に記載のボールチェア組立構造。
【請求項３】
前記座部と前記フレームが一体成型で成ることを特徴とする、請求項２に記載のボールチェア組立構造。
【請求項４】
前記座部が前記収容槽の位置に等間隔で複数の嵌合槽を備え、前記フレームの内側に下へ向かって複数の嵌合ツメが設けられ、前記嵌合槽に嵌合ツメをはめ込むことにより、前記フレームが前記座部上端に嵌置して固定されることを特徴とする、請求項２に記載のボールチェア組立構造。
【請求項５】
前記座部の底部中央に、前記支柱の上端部が挿入される枢結槽が設けられ、かつ前記枢結槽の内周囲に金属リングが設置され、前記座部の下部に前記枢結槽へ達する少なくとも１つの開口が設けられ、この開口に調整部材が挿入され、前記支柱の上端に押圧部が設けられ、かつ前記調整部材で前記支柱の押圧部を押圧した時、前記支柱が昇降調整可能となることを特徴とする、請求項１乃至４のいずれかに記載のボールチェア組立構造。
【請求項６】
前記調整部材がハンドル体であり、その一端部が前記開口から挿入されて前記座部に枢支され、前記一端部が前記枢結槽の上端まで延伸されて前記支柱の押圧部に重ねられ、さらに蓋板が前記収容槽底部に取り付けられ、前記調整部材の一端部の上限位置を規制することを特徴とする、請求項５に記載のボールチェア組立構造。
【請求項７】
前記座部の下部において、中心に対して対称の位置に少なくとも２つの開口が設置され、前記調整部材が円環体を備え、前記円環体の半径に沿う少なくとも２つのリンク棒が中心に対して対称に設置され、かつ前記リンク棒の内側端部が前記開口から前記座部の内部に挿入され、さらに押さえ板で前記リンク棒の内側端部が相互に連結され、かつ前記押さえ板が前記支柱の押圧部に重ねて設置され、蓋板が前記収容槽の底部に取り付けられ、前記リンク棒及び前記押さえ板の上限位置を規制することを特徴とする、請求項５に記載のボールチェア組立構造。
【請求項８】
カバー体を含み、前記カバー体が前記球体の外側を被覆し、前記座部まで下に延伸されて固定されたことを特徴とする、請求項５に記載のボールチェア組立構造。
【請求項９】
前記座部が外側壁面位置に複数の通槽を備え、前記複数の通槽がいずれも掛止リブを備え、前記カバー体の下端部に複数の掛止リングが設置され、前記掛止リングを前記掛止リブに掛けることで前記カバー体が固定されたことを特徴とする、請求項８に記載のボールチェア組立構造。
【請求項１０】
底部殼体を含み、前記底部殼体が下から上に向けて前記座部の下部に組み込まれ、同時に前記カバー体の下端部を被覆し、かつ前記底部殼体の底部に前記座部の枢結槽に相通された挿通孔が設けられたことを特徴とする、請求項８または９に記載のボールチェア組立構造。
【請求項１１】
前記底部殼体の側辺部に、前記調整部材を通過させるための少なくとも１つの通口を備えたことを特徴とする、請求項１０に記載のボールチェア組立構造。
【発明の詳細な説明】
【技術分野】
【０００１】
本発明は、座部に球体が取り付けられたボールチェア組立構造に関する。
【背景技術】
【０００２】
従来のボールチェアは、主に支持座体と球体の組み合わせで成る。
前記支持座体は、一体成型された環状フレームと環状フレーム周辺のいくつかの脚部で構成され、環状フレームに外径が環状フレームより大きい球体を取り付けて完成され、使用者が球体に座って姿勢の矯正やポーズの訓練に用いられる。
【０００３】
上記従来のボールチェアを詳細に見ると、まだいくつかの不足点があることに容易に気づく。主な欠点は次のようなものである。
従来のボールチェアの支持座体は一体成型で環状フレームと複数の脚部を備えており、支持座体の高さがすでに決まっているため、使用者のスタイルの違いに応じて調整することができず、往々にして構造の実用性に欠ける。
さらに、前記支持座体は環状フレームのみで球体を位置規制しており、球体を確実に取り付けることはできるものの、実際に座って使用するとき、球体が人体の重力で下圧されて下に沈み込んだ状態になり、環状フレーム底部が空洞状となっていて、支持ユニットが設けられていないため、球体が下圧されて変形した後徐々に下に沈み込み、環状フレームを離脱してしまう恐れがあり、安全性に欠けるため、消費者の購買意欲が大幅に削がれてしまっている。
【発明の概要】
【発明が解決しようとする課題】
【０００４】
本発明が解決しようとする課題は、使用者の体格に応じて高さを調整でき、球体が安定して支持されて、離脱する心配がないボールチェア組立構造を提供することにある。
【課題を解決するための手段】
【０００５】
本発明のボールチェア組立構造は、支持体と、球体を含み、前記支持体が座部と脚座体を備え、前記座部と前記脚座体間が昇降調整可能な支柱を介して相互に連結され、前記座部の上面が内側に凹陥した形状であって収容槽が形成され、前記球体が前記座部の収容槽に収容されて設置される。
前記座部の上端に少なくとも１つの環状のフレームが設置され、かつ前記球体が前記フレームにより包囲接触されて位置規制されるとよい。
この場合、前記座部と前記フレームを一体成型することがある。
或いは、前記座部が前記収容槽の位置に等間隔で複数の嵌合槽を備え、前記フレームの内側に下へ向かって複数の嵌合ツメが設けられ、前記嵌合槽に嵌合ツメをはめ込むことにより、前記フレームが前記座部上端に嵌置して固定されることがある。
【０００６】
前記座部の底部中央に、前記支柱の上端部が挿入される枢結槽が設けられ、かつ前記枢結槽の内周囲に金属リングが設置され、前記座部の下部に前記枢結槽へ達する少なくとも１つの開口が設けられ、この開口に調整部材が挿入され、前記支柱の上端に押圧部が設けられ、かつ前記調整部材で前記支柱の押圧部を押圧した時、前記支柱が昇降調整可能となることもある。
この場合、前記調整部材がハンドル体であり、その一端部が前記開口から挿入されて前記座部に枢支され、前記一端部が前記枢結槽の上端まで延伸されて前記支柱の押圧部に重ねられ、さらに蓋板が前記収容槽底部に取り付けられ、前記調整部材の一端部の上限位置を規制することがある。
或いは、前記座部の下部において、中心に対して対称の位置に少なくとも２つの開口が設置され、前記調整部材が円環体を備え、前記円環体の半径に沿う少なくとも２つのリンク棒が中心に対して対称に設置され、かつ前記リンク棒の内側端部が前記開口から前記座部の内部に挿入され、さらに押さえ板で前記リンク棒の内側端部が相互に連結され、かつ前記押さえ板が前記支柱の押圧部に重ねて設置され、蓋板が前記収容槽の底部に取り付けられ、前記リンク棒及び前記押さえ板の上限位置を規制することがある。
【０００７】
カバー体を含み、前記カバー体が前記球体の外側を被覆し、前記座部まで下に延伸されて固定されてもよい。
この場合、前記座部が外側壁面位置に複数の通槽を備え、前記複数の通槽がいずれも掛止リブを備え、前記カバー体の下端部の開口部に複数の掛止リングが設置され、前記掛止リングを前記掛止リブに掛けることで前記カバー体が固定されることがある。
また、底部殼体を含み、前記底部殼体が下から上に向かって前記座部の下部に組み込まれ、同時に前記カバー体の下端部を被覆し、かつ前記底部殼体の底部に前記座部の枢結槽に相通された挿通孔が設けられてもよい。
前記底部殼体の側辺部に、前記調整部材を通過させるための少なくとも１つの通口を備えることもある。
【発明の効果】
【０００８】
本発明のボールチェア組立構造は、支持体の座部と脚座体間が昇降調整可能な支柱により連結されているので、使用者の体格に応じて昇降調整することができ、使用者が座ったり、訓練したりする際に有利であり、様々な体型の使用者に適用でき、実用性が向上する。
また、座部の上面が凹陥されて収容槽が形成され、この収容槽に球体が収容されるので、球体が安定して取り付けられて座部から離脱する心配がなく、座ったときの安定性と安全性を向上できる。
【図面の簡単な説明】
【０００９】
【図１】本発明の実施例１を示すボールチェア組立構造の斜視図である。
【図２】本発明の実施例１を示すボールチェア組立構造の要部分解斜視図である。
【図３】本発明の実施例１に係る座部の斜視図である。
【図４】本発明の実施例１を示すボールチェア組立構造の断面図である。
【図５】本発明の実施例１を示すボールチェア組立構造の要部拡大断面図である。
【図６】本発明の実施例２に係る座部の分解図である。
【図７】本発明の実施例２を示すボールチェア組立構造の斜視図である。
【図８】本発明の実施例２を示すボールチェア組立構造の断面図である。
【図９】本発明の実施例２を示すボールチェア組立構造の要部拡大断面図である。
【図１０】本発明の実施例３を示すボールチェア組立構造の要部分解斜視図である。
【図１１】本発明の実施例３を示すボールチェア組立構造の要部断面図である。
【図１２】本発明の実施例３を示すボールチェア組立構造の要部拡大断面図である。
【発明を実施するための形態】
【００１０】
以下、本発明の実施例を図面に基づいて詳細に説明する。
図１〜図５は、本発明の実施例１を示す。
図１及び図４に示すように、本発明のボールチェア組立構造は、支持体１０、球体２０、調整部材３０を含む。
支持体１０は座部１１と脚座体１２を備え、座部１１と脚座体１２間が昇降調整可能な支柱１３を介して相互に連結される。図２に示すように、支柱１３は、上端に押圧部１３１を備え、かつ座部１１に枢設された調整部材３０により押圧部１３１を押圧した時に、昇降運動させることができる。
【００１１】
座部１１は上面が内側に凹陥した形状であって収容槽１１１が形成される。収容槽１１１の底部中央には、支柱１３の上端部を挿入するための枢結槽１１２が形成され、枢結槽１１２の内周囲に、支柱１３を固定する金属リング１１３が設置される。座部１１の下部には、調整部材３０を取り付けるための少なくとも１つの開口１１４が、外部から枢結槽１１２に達するよう設けられる。
また、座部１１の上端に環状のフレーム１４が設置される。フレーム１４と座部１１は一体成型とすることも（図３参照）、組立によって結合することもできる。
座部１１は、収容槽１１１の位置に等間隔で複数の嵌合槽１１５を備え、フレーム１４の内側に下へ向かって複数の嵌合ツメ１４１が設けられ、嵌合槽１１５に嵌合ツメ１４１をはめ込むことにより、フレーム１４を座部１１の上端に固定することができる。
【００１２】
球体２０は支持体１０の座部１１に収容されて設置され、かつフレーム１４により包接されて位置規制される。
調整部材３０はハンドル体であり、図５に示すように、その一端部が前記開口１１４から挿入されて座部１１に枢支され、前記一端部が枢結槽１１２の上端まで延伸されて支柱１３の押圧部１３１に重ねられる。また、蓋板３１が収容槽１１１の底部に取り付けられ、調整部材３０の一端部の上限位置を規制する。上述の構造により、ボールチェア組立構造が完成される。
【００１３】
球体２０は使用者が座るために用いられ、かつ球体２０は表面が弧形の隆起状であり、使用者が仕事や読書をするときに使用者のよくない姿勢を矯正し、腰痛を緩和して、脊椎の健康を回復させるほか、同時にバランスボールの訓練を行い、体幹の筋力を高め、バランスと身体の協調性を改善することができ、かつ体幹の筋力を高めることで平時の座ったときと立ったときの姿勢を改善し、バランス感覚を高めると共に背中を痛めることがないよう予防することができる。
【００１４】
また、昇降調整可能な支柱１３により脚座体１２と座部１１が連結されており、調整部材３０により支柱１３の押圧部１３１を押して支柱１３と座部１１を連動昇降させることができる。
支柱１３の押圧部１３１が調整部材３０により押されている時、下圧重量が支柱１３の上昇力より小さければ、座部１１は支柱１３によって押し上げられ、逆に、座ったときの重量が支柱１３の上昇力より大きければ、支柱１３が圧縮されて下に下がり、これによりボールチェアの昇降調整を行うことができ、使用者の体格条件に合わせて適切な高さに調整し、使用者が座ったときの高さに合わせ、かつ適した姿勢を保たせることで、ボールチェアの使用上の実用性を大幅に向上することができる。
また、座ったとき両足を内側に窄めて脚座体１２上を踏み、足裏のリラックスと姿勢の調整を補助することもできる。
【００１５】
図６〜図９は、本発明の実施例２を示す。
実施例２では、図６及び図７に示すように、座部１１の下部の枢結槽１１２近くにおいて、座部１１の中心に対して対称の位置に２つの開口１１４が設置される。
調整部材３０は、円環体３２を備え、円環体３２の半径に沿う少なくとも２つのリンク棒３３が、円環体３２の中心に対して対称に設置される。
図８及び図９に示すように、２つのリンク棒３３の内側端部は２つの開口１１４から座部１１内部に挿入される。さらに、押さえ板３４で２つのリンク棒３３の内側端部が相互に連結され、かつ押さえ板３４が支柱１３の押圧部１３１に重ねて設置される。また、蓋板３１が収容槽１１１の底部に取り付けられ、２つのリンク棒３３及び押さえ板３４の上限位置を規制する。
【００１６】
２つのリンク棒３３の動きを通じて押さえ板３４により支柱１３の押圧部１３１を下に押圧させ、ボールチェアの昇降調整を達することができ、かつ、２つのリンク棒３３はいずれも円環体３２の内側に固定されているため、円環体３２の動きにリンク棒３３が連動し、押さえ板３４の作動と押圧を行う。
また、調整部材３０が円環体３２の周方向に円運動すると、座部１１及び球体２０も連動して円運動するので、座った向きを変える等のように、調整部材３０の動きによる調整の利便性が向上される。
【００１７】
図１０〜図１２は、本発明の実施例３を示す。
図１０に示すように、実施例３のボールチェアは、さらにカバー体４０と底部殼体５０を含む。
カバー体４０は球体２０の外側を被覆し、図１１に示すように、座部１１まで下に延伸されて固定される。
底部殼体５０は下から上に向けて座部１１の下部に組み込まれ、同時にカバー体４０の下端部を被覆する。座部１１は外側壁面位置に複数の通槽１１６が設けられる。図１０及び図１２に示すように、複数の通槽１１６はいずれも掛止リブ１１７を備え、カバー体４０の下端部に複数の掛止リング４１が設置され、カバー体４０で球体２０を被覆して下に座部１１まで引っ張り延伸したとき、掛止リング４１を通槽１１６の掛止リブ１１７に掛けることでカバー体４０を固定し、底部殼体５０を座部１１の下部に組み込んで、カバー体４０及び底部殼体５０の取り付けを完了する。
【００１８】
実施例３では、球体２０及び座部１１がカバー体４０及び底部殼体５０により構造の全体性を保ち、球体２０が座部１１から離脱する恐れをより一層防止して、座ったときの安定性と安全性をさらに向上することができる。
なお、底部殼体５０の下部に座部１１の枢結槽１１２に相通された挿通孔５１が設けられ、支柱１３に組み付けることができ、底部殼体５０は側辺部にさらに少なくとも１つの通口５２が設けられ、調整部材３０を通過させて座部１１に取り付けることができる。
【００１９】
上記した各実施例の構造により、次のような効果を得ることができる。
（一）、支持体１０が座部１１と脚座体１２を含み、かつ座部１１及び脚座体１２間が昇降調整可能な支柱１３により連結され、ボールチェアの使用時、使用者の体格に応じて昇降調整することができ、使用者が座ったり、訓練したりする際に有利であり、様々な体型の使用者に適用でき、実用性が向上する。
（二）、ボールチェアは使用者が自ら組立て、分解することができ、ボールチェアを包装した箱を集めたとき全体の体積を減少でき、包装、運送に有利であるだけでなく、製造と輸送コストを大幅に削減できる。さらに、より簡便で迅速な組立方法を提供することで使用者が自ら組み立てられ、組立使用、分解収納の利便性が高められており、さらに組み立てたときの構造安定性が保たれ、使用上の安全性が向上する。
（三）、座部１１にフレーム１４を組み合わせることで球体２０の収容・設置と位置規制を行うため、球体２０の安定性が大幅に高められており、かつ球体２０及び座部１１をカバー体４０で覆い、底部殼体５０を組み合わせて嵌合・規制することでより確実に球体２０が座部１１から離脱しないようにすることができ、座ったときの安定性と安全性を向上できる。
【００２０】
以上は、本発明の実施例の説明であり、これらを以って本発明の権利範囲を限定することはできず、特許請求の範囲を逸脱しない変更や修飾はすべて本発明の権利範囲に含まれる。
【符号の説明】
【００２１】
１０     支持体
１１     座部
１１１   収容槽
１１２   枢結槽
１１３   金属リング
１１４   開口
１１５   嵌合槽
１１６   通槽
１１７   掛止リブ
１２     脚座体
１３     支柱
１３１   押圧部
１４     フレーム
１４１   嵌合ツメ
２０     球体
３０     調整部材
３１     蓋板
３２     円環体
３３     リンク棒
３４     押さえ板
４０     カバー体
４１     掛止リング
５０     底部殼体
５１     挿通孔
５２     通口
【図１】
2018201798.tif 000003
【図２】
2018201798.tif 000004
【図３】
2018201798.tif 000005
【図４】
2018201798.tif 000006
【図５】
2018201798.tif 000007
【図６】
2018201798.tif 000008
【図７】
2018201798.tif 000009
【図８】
2018201798.tif 000010
【図９】
2018201798.tif 000011
【図１０】
2018201798.tif 000012
【図１１】
2018201798.tif 000013
【図１２】
2018201798.tif 000014